(57)【要約】    【課題】      簡単な構成で、被験者が座位あるいは仰臥位など任意の姿勢ないし角度を選択することにより、自分の意思であるいは自由な状態で腰部や臀部を圧し、あるいは揉み解すことができ、骨盤の特定の部位ないしツボを有効に揉むことが可能となる腰臀部揉み器を提供すること。    【解決手段】  臀部の坐骨部分を押圧可能な押圧頂面２Ｂを有する揉み部（腰臀部揉みバー２）と、揉み部支持部（水平保持バー３）と、被験者が握持可能な被験者支持部（傾斜支持バー４）と、を設けることに着目したもので、臀部の坐骨部分を押圧可能な押圧頂面２Ｂを有するとともに被験者の横幅方向にほぼ直線状に延びる揉み部２と、揉み部２を水平位置に保持可能な揉み部支持部３と、揉み部２に体勢をあずける被験者が握持可能な被験者支持部４と、を有することを特徴とする。【選択図】        図１
2005329145.tif 000002
【特許請求の範囲】
【請求項１】
被験者の腰部および臀部を揉むための腰臀部揉み器であって、
前記臀部の坐骨部分を押圧可能な押圧頂面を有するとともに、前記被験者の横幅方向にほぼ直線状に延びる揉み部と、
この揉み部を水平位置に保持可能な揉み部支持部と、
この揉み部に体勢をあずける前記被験者が握持可能な被験者支持部と、
を有することを特徴とする腰臀部揉み器。
【請求項２】
前記揉み部は、その基準底面から前記押圧頂面までの高さが３０〜５０ｍｍであることを特徴とする請求項１記載の腰臀部揉み器。
【請求項３】
前記揉み部は、パイプ材からこれを構成したことを特徴とする請求項１記載の腰臀部揉み器。
【請求項４】
前記揉み部は、板材からこれを構成したことを特徴とする請求項１記載の腰臀部揉み器。
【請求項５】
前記揉み部は、前記押圧頂面の周囲下方に前記被験者の臀部が位置可能な臀部収容空間部を形成していることを特徴とする請求項１記載の腰臀部揉み器。
【請求項６】
前記揉み部は、前記揉み部支持部と前記被験者支持部との交差部に位置して前記被験者の横幅以上に延びていることを特徴とする請求項１記載の腰臀部揉み器。
【請求項７】
前記揉み部は、前記被験者支持部と所定の角度で傾斜していることを特徴とする請求項１記載の腰臀部揉み器。
【請求項８】
前記揉み部は、前記被験者支持部と平行であることを特徴とする請求項１記載の腰臀部揉み器。
【請求項９】
前記揉み部は、前記被験者支持部とねじれの位置にあることを特徴とする請求項１記載の腰臀部揉み器。
【請求項１０】
前記揉み部支持部は、前記揉み部と同一水平面に位置していることを特徴とする請求項１記載の腰臀部揉み器。
【請求項１１】
前記揉み部支持部は、前記揉み部を所定の高さに支持可能であることを特徴とする請求項１記載の腰臀部揉み器。
【請求項１２】
前記揉み部支持部は、前記揉み部の両側に左右一対の構成を有することを特徴とする請求項１記載の腰臀部揉み器。
【請求項１３】
前記揉み部支持部は、前記揉み部をその中央部から支持可能であることを特徴とする請求項１記載の腰臀部揉み器。
【請求項１４】
前記被験者支持部は、前記揉み部支持部に対して傾斜していることを特徴とする請求項１記載の腰臀部揉み器。
【請求項１５】
前記被験者支持部は、前記揉み部より高い位置に位置していることを特徴とする請求項１記載の腰臀部揉み器。
【請求項１６】
前記揉み部の前記押圧頂面の高さを調節可能な揉み部高さ調節機構を設けたことを特徴とする請求項１記載の腰臀部揉み器。
【請求項１７】
前記揉み部支持部と前記被験者支持部との間にリクライニング機構を設けたことを特徴とする請求項１記載の腰臀部揉み器。
【請求項１８】
前記被験者支持部にアームレストバーを設けたことを特徴とする請求項１記載の腰臀部揉み器。
【請求項１９】
前記アームレストバーを前記被験者に対して移動可能なスライド機構を設けたことを特徴とする請求項１８記載の腰臀部揉み器。
【請求項２０】
前記被験者の大腿部に位置するマット部と、
前記アームレストバーに被い掛けることができるシート部と、を有するとともに、
前記揉み部を被覆可能なシートマットを設けたことを特徴とする請求項１８記載の腰臀部揉み器。
【請求項２１】
前記揉み部に対して前記被験者を押し付け可能な被験者押付け機構を設けたことを特徴とする請求項１記載の腰臀部揉み器。
【請求項２２】
前記揉み部に対して前記被験者を往復動可能に該被験者を保持可能なハンモック部を設けたことを特徴とする請求項１記載の腰臀部揉み器。
【請求項２３】
前記揉み部は、これをカム状部材とするとともに、
このカム状部材を回転しつつ前記被験者に対して移動可能なカム駆動機構を設けたことを特徴とする請求項１記載の腰臀部揉み器。
【発明の詳細な説明】
【技術分野】
【０００１】
本発明は腰臀部揉み器にかかるもので、とくに被験者が自分の意思で自由に腰部および臀部、さらには特定のツボの周辺部分を揉み解すことができる腰臀部揉み器に関するものである。
【背景技術】
【０００２】
一般に腰痛は、腰部や臀部の緊張が原因となっているとする説があり、マッサージなどの手技療法は、療法士の手によって腰部や臀部の緊張を解くようにしている。
とくに、骨盤のとくに坐骨の奥に位置するツボ（臀部と大腿部との接続部分に位置しているツボ「承扶」ないしその周辺部）に圧力を加えることが有効であるとされている。
しかしながら、従来の腰臀部揉み器（マッサージ椅子あるいはローラーベッドなど）は、移動するローラーを有し、被験者の仰臥姿勢あるいは着座姿勢でその背中から腰に向かってマッサージするようにローラーが往復移動するものであるが、上記有効なツボあるいはその周辺部には届かないという問題がある。
さらに、従来の腰臀部揉み器では、被験者は移動するローラーに身を任せるだけであり、あるいは療法士という他人の手を借りたりするだけで、自分の意思であるいは自由な状態で腰部や臀部を揉み解すことが困難であるという問題がある。
【０００３】
【特許文献１】特開平２００４−２４９１０号公報
【発明の開示】
【発明が解決しようとする課題】
【０００４】
本発明は以上のような諸問題にかんがみなされたもので、被験者が自分の意思であるいは自由な状態で腰部や臀部を圧し、あるいは揉み解すことができる腰臀部揉み器を提供することを課題とする。
【０００５】
また本発明は、骨盤のとくに坐骨の奥に位置する有効なツボに届くようにした腰臀部揉み器を提供することを課題とする。
【０００６】
また本発明は、座位あるいは仰臥位など任意の姿勢ないし角度を選択することにより、特定の部位ないしツボを有効に揉むことが可能となる腰臀部揉み器を提供することを課題とする。
【０００７】
また本発明は、簡単な構成で腰臀部を揉み解すことができる腰臀部揉み器を提供することを課題とする。
【０００８】
また本発明は、簡単な構成で、基本構造の全部あるいは一部を椅子やベンチ、あるいは自動車や産業用車両用のシート、さらにはベッドなどに取り付けて使用可能な腰臀部揉み器を提供することを課題とする。
【課題を解決するための手段】
【０００９】
すなわち本発明は、臀部の坐骨部分を押圧可能な押圧頂面を有するとともに被験者の横幅方向にほぼ直線状に延びる揉み部と、揉み部支持部と、被験者が握持可能な被験者支持部と、を設けることに着目したもので、被験者の腰部および臀部を揉むための腰臀部揉み器であって、上記臀部の坐骨部分を押圧可能な押圧頂面を有するとともに、上記被験者の横幅方向にほぼ直線状に延びる揉み部と、この揉み部を水平位置に保持可能な揉み部支持部と、この揉み部に体勢をあずける上記被験者が握持可能な被験者支持部と、を有することを特徴とする腰臀部揉み器である。
【００１０】
上記揉み部は、その基準底面から上記押圧頂面までの高さが３０〜５０ｍｍであることができる。
【００１１】
上記揉み部は、断面が丸形や楕円形あるいは角形その他任意の形状のパイプ材からこれを構成することができる。
【００１２】
上記揉み部は、断面が丸形や楕円形あるいは角形その他任意の形状の板材からこれを構成することができる。
【００１３】
上記揉み部は、上記押圧頂面の周囲下方に上記被験者の臀部が位置可能な臀部収容空間部を形成していることができる。
【００１４】
上記揉み部は、上記揉み部支持部と上記被験者支持部との交差部に位置して上記被験者の横幅以上に延びていることができる。
【００１５】
上記揉み部は、上記被験者支持部と所定の角度で傾斜していることができる。
【００１６】
上記揉み部は、上記被験者支持部と平行であることができる。
【００１７】
上記揉み部は、上記被験者支持部とねじれの位置にあることができる。
【００１８】
上記揉み部支持部は、上記揉み部と同一水平面に位置していることができる。
【００１９】
上記揉み部支持部は、上記揉み部を所定の高さに支持可能であることができる。
【００２０】
上記揉み部支持部は、上記揉み部の両側に左右一対の構成を有することができる。
【００２１】
上記揉み部支持部は、上記揉み部をその中央部から支持可能であることができる。
【００２２】
上記被験者支持部は、上記揉み部支持部に対して傾斜していることができる。
【００２３】
上記被験者支持部は、上記揉み部より高い位置に位置していることができる。
【００２４】
上記揉み部の上記押圧頂面の高さを調節可能な揉み部高さ調節機構を設けることができる。
【００２５】
上記揉み部支持部と上記被験者支持部との間にリクライニング機構を設けることができる。
【００２６】
上記被験者支持部にアームレストバーを設けることができる。
【００２７】
上記アームレストバーを上記被験者に対して移動可能なスライド機構を設けることができる。
【００２８】
上記被験者の大腿部に位置するマット部と、上記アームレストバーに被い掛けることができるシート部と、を有するとともに、上記揉み部を被覆可能なシートマットを設けることができる。
【００２９】
上記揉み部に対して上記被験者を押し付け可能な被験者押付け機構を設けることができる。
【００３０】
上記揉み部に対して上記被験者を往復動可能に該被験者を保持可能なハンモック部を設けることができる。
【００３１】
上記揉み部は、これをカム状部材とするとともに、このカム状部材を回転しつつ上記被験者に対して移動可能なカム駆動機構を設けることができる。
【発明の効果】
【００３２】
本発明による腰臀部揉み器においては、臀部の坐骨部分を押圧可能な押圧頂面を有するとともに被験者の横幅方向にほぼ直線状に延びる揉み部と、揉み部支持部と、被験者が握持可能な被験者支持部と、を設けたので、従来のマッサージ器などでは揉み解すことが困難であった坐骨の奥深い位置にあるツボも、簡単な構成で揉み解して腰痛などの解消に寄与することができる。
【発明を実施するための最良の形態】
【００３３】
本発明は、揉み部、揉み部支持部および被験者支持部からなる簡単な構成としたので、揉み部が坐骨の奥深い位置にあるツボをも揉み解し可能として、腰痛などを解消することができる腰臀部揉み器を実現した。
【実施例】
【００３４】
つぎに本発明の第１の実施例による腰臀部揉み器１を図１ないし図１０にもとづき説明する。
図１は、腰臀部揉み器１の斜視図、図２は、同、正面図、図３は、同、側面図、図４は、被験者Ｈの背面図であって、腰臀部揉み器１は、被験者Ｈの腰部Ｗおよび臀部Ｂさらに坐骨の奥に位置するツボＰ（臀部と大腿部との接続部分に位置しているツボ「承扶」ないしその周辺部）を揉むもので、腰臀部揉みバー２（揉み部）と、水平保持バー３（揉み部支持部）と、傾斜支持バー４（サポートバー、被験者支持部）と、アームレストバー５（被験者支持部）と、を有する。
【００３５】
腰臀部揉みバー２は、金属製、木製あるいは合成樹脂製やゴム製など任意の材料による丸パイプや楕円パイプもしくは任意多角形状の角パイプなどのパイプ材あるいは板材からこれを構成したもので、必要に応じて表面にウレタン材やゴム材などクッション性の材料による緩衝材６を被覆することにより、被験者Ｈへの当たりを柔らかくすることができる。
床面に載置して接触しているその基準底面２Ａから被験者Ｈの腰部Ｗ、臀部ＢおよびツボＰが当接可能な押圧頂面２Ｂまでの高さが３０〜５０ｍｍとすることができる。
腰臀部揉みバー２は、臀部Ｂの坐骨部分を押圧可能な押圧頂面２Ｂを有するとともに、被験者Ｈの横幅方向にほぼ直線状に延びる。
腰臀部揉みバー２は、水平保持バー３と傾斜支持バー４との間の交差部に位置して被験者Ｈの横幅以上に延びている。
したがって腰臀部揉みバー２は、押圧頂面２Ｂの周囲下方すなわち、床面に接しているその基準底面２Ａと押圧頂面２Ｂとの間であって一対の水平保持バー３の間に被験者Ｈの臀部Ｂが位置可能な臀部収容空間部７を形成可能である（図３の仮想線を参照）。
【００３６】
水平保持バー３は、腰臀部揉みバー２と同様に任意の材料からなるもので、腰臀部揉みバー２の左右両端部を固定するように、被験者Ｈの横幅以上の間隔をあけて一対にこれを設けているもので、腰臀部揉みバー２と同一水平面に位置している。
すなわち、この水平保持バー３を床面に位置させることにより、腰臀部揉みバー２を所定位置に固定状態でセットすることができる。
【００３７】
傾斜支持バー４は、腰臀部揉みバー２に体勢をあずける被験者Ｈが握持可能な、腰臀部揉みバー２および水平保持バー３と同様に任意の材料からなるもので、腰臀部揉みバー２および水平保持バー３との交差部から所定の傾斜角度θで腰臀部揉みバー２ないし水平保持バー３に対して傾斜している。
【００３８】
アームレストバー５は、腰臀部揉みバー２を跨ぐように傾斜支持バー４の間に座位で位置した被験者Ｈがその背中ないし両腕を持たれかけさせることができる水平に位置するアームであって、腰臀部揉みバー２、水平保持バー３および傾斜支持バー４と同様に、任意の材料からこれを構成する。
【００３９】
なお、腰臀部揉みバー２、水平保持バー３および傾斜支持バー４などの寸法について一例を図２および図３に示した（単位：ｃｍ）。傾斜角度θについては、３０〜６０度程度が望ましい。もちろん、使用態様によってこれに限定されるものではなく、被験者Ｈの体型、年齢、その他に応じて任意に設定可能である。
【００４０】
こうした構成の腰臀部揉み器１を用いる手法について、図５ないし図８にもとづき説明する。
図５は、腰臀部揉みバー２を跨ぐように被験者Ｈが水平保持バー３の間に仰臥した状態を示す側面図であって、被験者Ｈはその腰部Ｗ、臀部ＢおよびツボＰの部分が腰臀部揉みバー２の押圧頂面２Ｂに当たるように横たわる。
この状態で、図中矢印に示すように、被験者Ｈは自分の意志で、すなわち、必要な強さあるいは速度で、体を上下（頭と足先との間の方向）に移動して、押圧頂面２Ｂにより腰部Ｗおよび臀部Ｂの任意の部分、ならびにツボＰの部分を揉み解す。
このとき、被験者Ｈは傾斜支持バー４の任意の部位を把持することにより、体の上下方向への上記動作がし易くなる。
【００４１】
図６は、腰臀部揉みバー２を跨ぐように被験者Ｈが水平保持バー３の間に着座した状態を示す側面図であって、被験者Ｈはその腰部Ｗ、臀部ＢおよびツボＰの部分が腰臀部揉みバー２の押圧頂面２Ｂに当たるように、膝を軽く曲げあるいは脚を伸ばして座る。
この状態で、図５に示した場合と同様に、図中矢印に示すように、体を上下（腰部と足先との間の方向）に移動して、押圧頂面２Ｂにより腰部Ｗ、臀部ＢおよびツボＰの部分を揉み解す。
このとき、被験者Ｈは傾斜支持バー４の任意の部位を把持することにより、上記動作がし易くなる。
【００４２】
図７は、腰臀部揉みバー２を跨ぐように、図６とは反対向きで、被験者Ｈが水平保持バー３の間に着座した状態を示す側面図であって、被験者Ｈはその腰部Ｗ、臀部ＢおよびツボＰの部分が腰臀部揉みバー２の押圧頂面２Ｂに当たるように脚を伸ばして座る。
この状態で、図６の場合と同様に、図中矢印に示すように、体を上下（腰部と足先との間の方向）に移動して、押圧頂面２Ｂにより腰部Ｗ、臀部ＢおよびツボＰの部分を揉み解す。
このとき、被験者Ｈは傾斜支持バー４の任意の部位を把持することにより、上記動作がし易くなる。
【００４３】
図８は、腰臀部揉みバー２を跨ぐように、図６と同じ向きで、被験者Ｈが水平保持バー３の間に着座した状態を示す側面図であって、被験者Ｈはその腰部Ｗ、臀部ＢおよびツボＰの部分が腰臀部揉みバー２の押圧頂面２Ｂに当たるように脚を伸ばして座る。
この状態で、アームレストバー５に体をあずけ、図６の場合と同様に、図中矢印に示すように、体を上下（腰部と足先との間の方向）に移動して、押圧頂面２Ｂにより腰部Ｗ、臀部ＢおよびツボＰの部分を揉み解す。
このとき、被験者Ｈは傾斜支持バー４の任意の部位を把持することにより、上記動作がし易くなる。
【００４４】
図５ないし図８のいずれの場合も、従来の場合より、とくにツボＰを押圧することができる。
すなわち、図９は、従来の腰臀部揉み器（マッサージ椅子あるいはローラーベッドなど）の場合のローラーＲによる腰部Ｗあるいは臀部Ｂ部分への押圧の動きを示す概略側面図であって、この場合には骨盤Ｇが障害となって、ローラーＲの動き（押圧動作）が坐骨の裏側の奥のツボＰまで届かないという欠点がある。
【００４５】
一方、図１０は、本発明による腰臀部揉み器１の場合の腰臀部揉みバー２による腰部Ｗあるいは臀部Ｂ部分への押圧の動きを示す概略側面図であって、この場合には、使用する被験者Ｈが臀部収容空間部７に自分の臀部Ｂを落ち込ませることが可能であり、腰臀部揉みバー２（押圧頂面２Ｂ）に腰部Ｗ、臀部ＢあるいはツボＰを当てる角度や位置を自由に調整することができるので、骨盤Ｇの裏側まで腰臀部揉みバー２が位置することが可能となって、とくにツボＰの部分を揉み解すことができる。
【００４６】
図１１は、本発明の第２の実施例による腰臀部揉み器１０の斜視図、図１２は、同、正面図、図１３は、同、側面図であって、腰臀部揉み器１０は、腰臀部揉み器１（図１）と同様に、腰臀部揉みバー２、水平保持バー３、傾斜支持バー４およびアームレストバー５を有するとともに、リクライニング機構１１と、スライド機構１２と、揉み部高さ調節機構１３と、を設けてある。
【００４７】
リクライニング機構１１は、水平保持バー３と傾斜支持バー４との間にこれを設け、傾斜支持バー４を水平保持バー３に対して任意の傾斜角度θに調整し、その傾斜位置に固定可能なものであって、傾斜角度θを０〜９０度までの任意の角度に調整可能な公知の任意の構成を採用可能である。
なお図１３中、仮想線で示すように、必要であれば、傾斜角度θを９０〜１８０度までの範囲にも調整可能として、被験者Ｈの姿勢ないし向きにより使用態様に融通性を持たせることもできる。
【００４８】
スライド機構１２は、傾斜支持バー４に沿ってアームレストバー５を被験者Ｈに対し移動可能とするもので、アームレストバー５を傾斜支持バー４に対して任意の高さ位置に調整し、その高さ位置に固定可能なものであって、公知の任意の構成を採用可能である。
【００４９】
揉み部高さ調節機構１３は、腰臀部揉みバー２の両端部にこれを設け、腰臀部揉みバー２の押圧頂面２Ｂの高さを調節可能として、臀部収容空間部７の容積あるいはその最頂部の位置を変更するものである。
この揉み部高さ調節機構１３としては、腰臀部揉みバー２の押圧頂面２Ｂを直接上下動させる構成、あるいは腰臀部揉みバー２全体を上下動させる構成、さらには腰臀部揉みバー２の押圧頂面２Ｂを所定回動軸のまわりに回動可能として押圧頂面２Ｂ自体を傾斜可能なチルト構成など、任意のものを採用可能である。
【００５０】
こうした構成の腰臀部揉み器１０によれば、既述の腰臀部揉み器１（図１）のように被験者Ｈは腰臀部揉み器１０（腰臀部揉みバー２）に対する自分の位置を自由に調整しながら、なおかつ、リクライニング機構１１およびスライド機構１２さらには揉み部高さ調節機構１３により自分にあった姿勢を調整しながら、さらにまた傾斜支持バー４を把持することによりその姿勢を保持しながら、腰部Ｗ、臀部ＢおよびツボＰを揉み解すことができる。
【００５１】
図１４は、本発明の第３の実施例による腰臀部揉み器２０の斜視図、図１５は、同、要部の概略拡大断面図、図１６は、同、使用状態の概略側断面図であって、腰臀部揉み器２０は、腰臀部揉み器１（図１）および腰臀部揉み器１０（図１１）と同様に、腰臀部揉みバー２、水平保持バー３、傾斜支持バー４およびアームレストバー５を有するとともに、シートマット２１と、スライド機構２２と、を設けてある。
【００５２】
シートマット２１は、腰臀部揉みバー２、水平保持バー３、傾斜支持バー４およびアームレストバー５とは別体としてもこれを準備することができるもので、被験者Ｈの大腿部Ｔ（図１６）に位置するマット部２３と、このマット部２３の一方の端部に一体的に接続してあってアームレストバー５に被い掛けることができるシート部２４と、を有するとともに、図１５に示すように、マット部２３とシート部２４との接続部ないしこの接続部近傍のシート部２４が腰臀部揉みバー２を被覆可能である。なお、この接続部においてシートマット２１と腰臀部揉みバー２１とを一体化してあってもよい。
マット部２３は、必要なクッション性のある材料からこれを構成することができ、腰臀部揉みバー２から外方すなわち、水平保持バー３から離れる方向にこれを位置させて床面に置くものである。
シート部２４は、必要な柔軟性および強度を有する材料からこれを構成することができ、腰臀部揉みバー２から内方すなわち、左右一対の水平保持バー３および傾斜支持バー４の間にこれを位置させるとともに、図１４に示すように、アームレストバー５の背面側から内方（前方側）に被い掛けるものである。
【００５３】
スライド機構２２は、スプリング２５（あるいはゴムバンドその他の伸縮性素材による部材）を有し、このスプリング２５をアームレストバー５と、傾斜支持バー４の上方端部を内側に折り曲げた左右一対のスプリング固定端部２６との間に取り付けて、アームレストバー５を傾斜支持バー４の上方表面に沿ってスライド可能に保持している。
【００５４】
こうした構成の腰臀部揉み器２０において、とくに図１６に示すように、被験者Ｈは腰臀部揉みバー２の内方側の臀部収容空間部７にその腰部Ｗおよび臀部Ｂをおろし、シート部２４およびアームレストバー５にもたれかかり、その座位姿勢を安定させることができるとともに、その大腿部Ｔをマット部２３にのせた状態で脚部を延ばして、いわば座椅子として座ることができる。
この座位姿勢で、腰臀部揉み器２０に対する被験者Ｈの相対姿勢に応じて、あるいは被験者Ｈ自体の体格などに応じて、アームレストバー５が傾斜支持バー４の上方側に移動するとシート部２４の先端部２４Ａは同じく上方側に移動し、下方側に移動するとシート部２４の先端部２４Ａは同じく下方側に移動することにより、被験者Ｈが接触しているシート部２４の長さが自動的に調節され、安定した座位姿勢を保証することができる。
さらに、被験者Ｈが腰部Ｗあるいは臀部Ｂをわずかに前後方向に揺らすように動かすことにより、腰臀部揉みバー２が被験者Ｈの腰部Ｗ、臀部ＢおよびツボＰの部分を揉み解すことができるとともに、腰臀部揉みバー２さらにはアームレストバー５がストッパーとなって被験者Ｈの腰部Ｗないし臀部Ｂが足先の方にずれることを防止して、長時間にわたっても疲労感なく座位の姿勢保持を保証することができる。したがって、座った状態のままで必要なタイミングで揉み解し動作を行うことができる。
【００５５】
図１７は、本発明の第４の実施例による腰臀部揉み器３０の斜視図、図１８は、同、腰部Ｗの要部側面図、図１９は、被験者Ｈの背面図であって、腰臀部揉み器３０は、パイプ材により三角錐状に全体を構成してある。
すなわち、腰臀部揉み器３０は、互いに水平な一対の腰臀部揉みバー２と、水平保持バー３に相当する六本の水平支持パイプ３１（揉み部支持部）と、三角錐の縁部を構成するとともに水平保持バー３の機能も有する傾斜支持バー４に相当する四本の傾斜支持バー３２（被験者支持部）と、アームレストバー５に相当する上部レストバー３３（被験者支持部）と、を有する。
したがって、水平支持パイプ３１および傾斜支持バー３２により腰臀部揉みバー２を所定の高さに支持可能となっている。
上部レストバー３３は、腰臀部揉みバー２より高い位置（三角錐の上部稜線部）に位置している。
【００５６】
この腰臀部揉み器３０においては、腰臀部揉みバー２は、その押圧頂面２Ｂから基準底面２Ａの周囲下方に被験者Ｈの臀部Ｂが位置可能な臀部収容空間部７（とくに図１８の仮想線を参照）を形成している。
腰臀部揉みバー２は、水平支持パイプ３１と平行である。
さらに、図１７に仮想線で、図１８には実線で示すように、被験者Ｈはそのヒップラインが腰臀部揉みバー２に当たるように、腰臀部揉みバー２に腰掛けるものである。
【００５７】
こうした構成の腰臀部揉み器３０においても、図示のように、被験者Ｈは上部レストバー３３に背を向けて、あるいは上部レストバー３３に向かって腰臀部揉みバー２に腰掛けることにより、さらにまた、傾斜支持バー３２あるいは上部レストバー３３を把持して体を安定化させ、とくにその臀部Ｂさらに坐骨の奥に位置するツボＰを腰臀部揉みバー２に当てて揉むことができる。
【００５８】
図２０は、本発明の第５の実施例による腰臀部揉み器４０の斜視図であって、腰臀部揉み器４０は、いわゆるベンチタイプのもので、腰臀部揉み器３０（図１７）の場合と同様に、第１の保持フレーム４１（揉み部支持部）が腰臀部揉みバー２を所定高さに位置させるとともに、腰臀部揉みバー２に対して傾斜支持バー４を第２の保持フレーム４２（被験者支持部）により水平位置に配置している。第１の保持フレーム４１および第２の保持フレーム４２は、互いに平行な平面を形成している。
【００５９】
こうした構成の腰臀部揉み器４０においても、図示のように、被験者Ｈは腰臀部揉みバー２に座り、傾斜支持バー４を把持して自分の体勢を安定させ、とくにその臀部ＢやツボＰを腰臀部揉みバー２に当てて揉むことができる。
【００６０】
図２１は、本発明の第６の実施例による腰臀部揉み器５０の斜視図であって、腰臀部揉み器５０は、いわゆる風呂桶タイプのもので、水平保持台５１（揉み部支持部）が断面円弧状の腰臀部揉み突状部５２（揉み部）をその中央部に横断して所定高さに位置させるとともに、水平保持台５１の左右前後に対向して形成した支持切欠き部５３（被験者支持部）を被験者Ｈが把持可能としている。
【００６１】
こうした構成の腰臀部揉み器５０においても、被験者Ｈは腰臀部揉み突状部５２に座り、支持切欠き部５３を把持して自分の体勢を安定させ、とくにその臀部ＢおよびツボＰを腰臀部揉み突状部５２に当てて揉むことができる。
【００６２】
図２２は、本発明の第７の実施例による腰臀部揉み器６０の側面図であって、腰臀部揉み器６０は、いわゆる折畳み椅子タイプのもので、折畳み軸６１において、折り畳み可能となっている左右二対の折畳みパイプ６２（揉み部支持部）のうち短い方の折畳みパイプ６２が腰臀部揉みバー２を所定高さに位置させるとともに、長い方の折畳みパイプ６２が腰臀部揉みバー２に対して水平支持バー６３（被験者支持部）を最上部において水平位置に配置している。
【００６３】
こうした構成の腰臀部揉み器６０においても、図示のように被験者Ｈは腰臀部揉みバー２に座り、水平支持バー６３を把持して自分の体勢を安定させ、とくにその臀部ＢおよびツボＰを腰臀部揉みバー２に当てて揉むことができる。
【００６４】
図２３は、本発明の第８の実施例による腰臀部揉み器７０の斜視図であって、腰臀部揉み器７０は、いわゆる椅子タイプのもので、椅子の脚部に相当する四本の水平保持バー７１（揉み部支持部）およびその中央の中央支柱７２（揉み部支持部）が腰臀部揉みバー２をその中央部から所定高さに支持可能であるとともに、中央支柱７２にはアームレストバー５に相当する背もたれ部７３（被験者支持部）を設けている。
腰臀部揉みバー２の両側端部に垂直支持バー７４を立て、それぞれの先端部に水平支持バー７５（被験者支持部）を水平に突出させてある。したがって、水平支持バー７５は、腰臀部揉みバー２に対してねじれの位置にある。
【００６５】
こうした構成の腰臀部揉み器７０においても、被験者Ｈは腰臀部揉みバー２に座り、水平支持バー７５を把持して自分の体勢を安定させ、とくにその臀部ＢおよびツボＰを腰臀部揉みバー２に当てて揉むことができる。
【００６６】
図２４は、本発明の第９の実施例による腰臀部揉み器８０の側面図、図２５は、同、要部の概略側面図であって、腰臀部揉み器８０は、被験者押付け機構８１を設け、この被験者押付け機構８１により腰臀部揉みバー２に対して被験者Ｈを押し付け可能とする。
被験者押付け機構８１は、水平位置に位置する一対のハンモック保持部８２にわたって設けたハンモック部８３と、ハンモック部８３の上方部において被験者Ｈの腰部Ｗあるいは臀部Ｂを前方（腹側方向）に押圧可能な押圧駆動部８４と、を有する。この押圧駆動部８４は、電動式あるいは空圧式など任意の駆動機構を採用可能である。
なお、腰臀部揉みバー２は、任意の支持フレーム８５（揉み部支持部）により一対のハンモック保持部８２の間の下方位置にこれを位置させる。
また、必要であれば、任意の高さに水平支持バー８６（被験者支持部）を設けることができ、さらに被験者Ｈが一対のハンモック保持部８２の少なくともいずれか一方を把持してその体勢を安定化させることができるもので、被験者Ｈを体ごと支持するハンモック部８３とともにハンモック保持部８２が被験者支持部として機能することもできる。
【００６７】
こうした構成の腰臀部揉み器８０において、ハンモック部８２内に位置することになる前記臀部収容空間部７内に被験者Ｈの腰部Ｗおよび臀部Ｂを位置させて被験者Ｈを支持するともに、骨盤ＧにおけるとくにツボＰを腰臀部揉みバー２に押圧可能とした状態で、押圧駆動部８４により腰部Ｗあるいは臀部Ｂを押してツボＰが腰臀部揉みバー２に押されるようにすれば、ハンモック部８３に座り込んでいる腰部Ｗや臀部Ｂの揺動作用も加わって腰臀部揉みバー２との間の相対運動（図２４中の点線に示すような円弧運動）により、既述の腰臀部揉み器１その他の実施例の場合と同様に、腰部Ｗ、臀部ＢおよびツボＰを揉み解すことができる。
この腰臀部揉み器８０は、自分で腰部Ｗあるいは臀部Ｂを動かすことが困難な被験者Ｈに対して有効である。
なお、被験者Ｈの事情に応じて、押圧駆動部８４を被験者Ｈの膝側に設けて（図２４中仮想線）、膝側から被験者Ｈを押すこともできる。
【００６８】
図２６は、本発明の第９の実施例による腰臀部揉み器９０の側面図であって、腰臀部揉み器９０は、被験者押付け機構９１を設け、この被験者押付け機構９１により被験者Ｈの腰部Ｗ、臀部ＢおよびツボＰを揉み解すことができる。
すなわち被験者押付け機構９１は、腰臀部揉み器８０（図２４）と同様に、一対のハンモック保持部８２およびハンモック部８３を有するとともに、カム状部材９２（揉み部）と、カム駆動機構９３と、を有する。
【００６９】
図２７は、カム状部材９２の拡大側面図であって、カム状部材９２は、回転軸９４のまわりに回転可能な円柱部材９５と、より小径の押圧突出部９６と、を有し、この押圧突出部９６が被験者Ｈの腰部Ｗ、臀部ＢおよびツボＰを押圧可能である。
このカム状部材９２の断面形状は任意のものを採用可能で、そのカム形状により、腰部Ｗ、臀部ＢおよびツボＰへの押圧強度を調節することもできる。
【００７０】
カム駆動機構９３は、カム状部材９２を所定位置に支持する揉み部支持部としても機能するもので、当該カム状部材９２を回転しつつ被験者Ｈに対して移動可能である。
【００７１】
こうした構成の腰臀部揉み器９０において、ハンモック部８２内に被験者Ｈの腰部Ｗおよび臀部Ｂを位置させて被験者Ｈを支持するともに、カム駆動機構９３によりカム状部材９２を被験者Ｈの腰部Ｗおよび臀部Ｂに沿って回転しつつ移動させ、とくにカム状部材９２の押圧突出部９６がツボＰに当たるようにすることができる。したがって、既述の腰臀部揉み器１その他の実施例の場合と同様に、腰部Ｗ、臀部ＢおよびツボＰを揉み解すことができる。
さらに、カム状部材９２の回転にともなって円柱部材９５の外周面および押圧突出部９６による腰部Ｗ、臀部ＢおよびツボＰへの揉み解し強度に周期的な変化を付けることができる。
【００７２】
図２８は、揉み部（腰臀部揉みバー２など）の材料としてパイプ材の代わりに利用可能な板材１００を示す説明図であって、その横幅（３５〜５０ｃｍ）、縦幅（２５〜５０ｃｍ）および厚さ（３〜５ｃｍ）について図中にそれぞれの長さを示している。
とくに図１ないし図２３に示した既述の各実施例において、この板材１００の対向縁部１００Ａ、１００Ｂを腰臀部揉みバー２の押圧頂面２Ｂとして利用可能である。もちろん、板材１００を所定の角度で傾斜して取り付けることにより、その対向縁部１００Ａ、１００Ｂを腰部Ｗ、臀部ＢあるいはツボＰに対して当接しやすくすることができる。
【図面の簡単な説明】
【００７３】
【図１】本発明の第１の実施例による腰臀部揉み器１の斜視図である。
【図２】同、正面図である。
【図３】同、側面図である。
【図４】被験者Ｈの背面図である。
【図５】同、腰臀部揉みバー２を跨ぐように被験者Ｈが水平保持バー３の間に仰臥した状態を示す側面図である。
【図６】同、腰臀部揉みバー２を跨ぐように被験者Ｈが水平保持バー３の間に着座した状態を示す側面図である。
【図７】同、腰臀部揉みバー２を跨ぐように、図６とは反対向きで、被験者Ｈが水平保持バー３の間に着座した状態を示す側面図である。
【図８】同、腰臀部揉みバー２を跨ぐように、図６と同じ向きで、被験者Ｈが水平保持バー３の間に着座した状態を示す側面図である。
【図９】従来の腰臀部揉み器（マッサージ椅子あるいはローラーベッドなど）の場合のローラーＲによる腰部Ｗあるいは臀部Ｂ部分への押圧の動きを示す概略側面図である。
【図１０】本発明による腰臀部揉み器１の場合の腰臀部揉みバー２による腰部Ｗあるいは臀部Ｂ部分への押圧の動きを示す概略側面図である。
【図１１】本発明の第２の実施例による腰臀部揉み器１０の斜視図である。
【図１２】同、正面図である。
【図１３】同、側面図である。
【図１４】本発明の第３の実施例による腰臀部揉み器２０の斜視図である。
【図１５】同、要部の概略拡大断面図である。
【図１６】同、使用状態の概略側断面図である。
【図１７】本発明の第４の実施例による腰臀部揉み器３０の斜視図である。
【図１８】同、腰部Ｗの要部側面図である。
【図１９】被験者Ｈの背面図である。
【図２０】本発明の第５の実施例による腰臀部揉み器４０の斜視図である。
【図２１】本発明の第６の実施例による腰臀部揉み器５０の斜視図である。
【図２２】本発明の第７の実施例による腰臀部揉み器６０の側面図である。
【図２３】本発明の第８の実施例による腰臀部揉み器７０の斜視図である。
【図２４】本発明の第９の実施例による腰臀部揉み器８０の側面図である。
【図２５】同、要部の概略側面図である。
【図２６】本発明の第１０の実施例による腰臀部揉み器９０の側面図である。
【図２７】同、カム状部材９２の拡大側面図である。
【図２８】揉み部（腰臀部揉みバー２など）の材料として、パイプ材の代わりに利用可能な板材１００の説明図である。
【符号の説明】
【００７４】
１  腰臀部揉み器（第１の実施例、図１）
２  腰臀部揉みバー（揉み部）
２Ａ  腰臀部揉みバー２の基準底面
２Ｂ  腰臀部揉みバー２の押圧頂面
３  水平保持バー（揉み部支持部）
４  傾斜支持バー（サポートバー、被験者支持部）
５  アームレストバー（被験者支持部）
６  緩衝材
７  臀部収容空間部
１０  腰臀部揉み器（第２の実施例、図１１）
１１  リクライニング機構
１２  スライド機構
１３  揉み部高さ調節機構
２０  腰臀部揉み器（第３の実施例、図１４）
２１  シートマット
２２  スライド機構
２３  シートマット２１のマット部
２４  シートマット２１のシート部
２４Ａ  シート部２４の先端部
２５  スプリング
２６  スプリング固定端部
３０  腰臀部揉み器（第４の実施例、図１７）
３１  水平支持パイプ（揉み部支持部）
３２  傾斜支持バー（被験者支持部）
３３  上部レストバー（被験者支持部）
４０  腰臀部揉み器（第５の実施例、図２０）
４１  第１の保持フレーム（揉み部支持部）
４２  第２の保持フレーム（被験者支持部）
５０  腰臀部揉み器（第６の実施例、図２１）
５１  水平保持台（揉み部支持部）
５２  腰臀部揉み突状部（揉み部）
５３  支持切欠き部（被験者支持部）
６０  腰臀部揉み器（第７の実施例、図２２）
６１  折畳み軸
６２  折畳みパイプ（揉み部支持部）
６３  水平支持バー（被験者支持部）
７０  腰臀部揉み器（第８の実施例、図２３）
７１  水平保持バー（揉み部支持部）
７２  中央支柱（揉み部支持部）
７３  背もたれ部（被験者支持部）
７４  垂直支持バー
７５  水平支持バー（被験者支持部）
８０  腰臀部揉み器（第９の実施例、図２４）
８１  被験者押付け機構
８２  ハンモック保持部（被験者支持部）
８３  ハンモック部（被験者支持部）
８４  押圧駆動部
８５  支持フレーム（揉み部支持部）
８６  水平支持バー（被験者支持部）
９０  腰臀部揉み器（第１０の実施例、図２６）
９１  被験者押付け機構
９２  カム状部材（揉み部）
９３  カム駆動機構（揉み部支持部）
９４  カム状部材９２の回転軸
９５  カム状部材９２の円柱部材
９６  カム状部材９２の小径の押圧突出部
１００  板材（図２８）
１００Ａ  板材１００の対向縁部
１００Ｂ  板材１００の対向縁部
Ｈ    被験者
Ｗ    被験者Ｈの腰部
Ｂ    被験者Ｈの臀部
Ｐ    被験者Ｈの臀部Ｂにあるツボ（臀部Ｂと大腿部との接続部分に位置している「承扶」ないしその周辺部）
Ｔ    被験者Ｈの大腿部Ｔ（図１６）
Ｇ    骨盤（図９、図１０、図２４）
Ｒ    従来の腰臀部揉み器（マッサージ椅子、ローラーベッドなど）のローラー（図９）θ    傾斜角度（図３、図１３）
【図１】
2005329145.tif 000003
【図２】
2005329145.tif 000004
【図３】
2005329145.tif 000005
【図４】
2005329145.tif 000006
【図５】
2005329145.tif 000007
【図６】
2005329145.tif 000008
【図７】
2005329145.tif 000009
【図８】
2005329145.tif 000010
【図９】
2005329145.tif 000011
【図１０】
2005329145.tif 000012
【図１１】
2005329145.tif 000013
【図１２】
2005329145.tif 000014
【図１３】
2005329145.tif 000015
【図１４】
2005329145.tif 000016
【図１５】
2005329145.tif 000017
【図１６】
2005329145.tif 000018
【図１７】
2005329145.tif 000019
【図１８】
2005329145.tif 000020
【図１９】
2005329145.tif 000021
【図２０】
2005329145.tif 000022
【図２１】
2005329145.tif 000023
【図２２】
2005329145.tif 000024
【図２３】
2005329145.tif 000025
【図２４】
2005329145.tif 000026
【図２５】
2005329145.tif 000027
【図２６】
2005329145.tif 000028
【図２７】
2005329145.tif 000029
【図２８】
2005329145.tif 000030